(57)【要約】【課題】  ユーザが設定すべきパスワードが未設定のままパスワード保護機能付き情報処理装置が使用されることを避ける。【解決手段】  複合機１は、設定記憶部１３と、正規パスワード管理部１２ａと、正規パスワード設定要求部１２ｂとを備える。設定記憶部１３は、ユーザの設定した正規パスワードを示す正規パスワードデータ１３ｂを記憶する。正規パスワード管理部１２ａは、正規パスワードデータ１３ｂが記憶されているか否かを判別するとともに、正規パスワードデータ１３ｂが記憶されていないと判別した場合に、正規パスワード設定要求部１２ｂに設定要求処理を実行させる。正規パスワード設定要求部１２ｂは、設定要求処理として、正規パスワードの設定をユーザに促すための正規パスワード設定画面を操作表示部１５に表示させる。【選択図】  図１
2005094374.tif 000002
【特許請求の範囲】
【請求項１】
ユーザの操作に応じて行う処理の少なくとも一部を、ユーザにより設定された正規パスワードによって保護するパスワード保護機能付き情報処理装置において、
正規パスワードを示す正規パスワードデータを記憶するための正規パスワード記憶手段と、
正規パスワードの設定をユーザに促すための設定要求処理を行う正規パスワード設定要求手段と、
前記正規パスワード記憶手段に正規パスワードデータが記憶されているか否かを判別するとともに、正規パスワードデータが記憶されていないと判別した場合に、前記正規パスワード設定要求手段に前記設定要求処理を実行させる正規パスワード管理手段とを備えることを特徴とするパスワード保護機能付き情報処理装置。
【請求項２】
画面による情報の表示を行う表示手段をさらに備え、
前記設定要求処理は、正規パスワードの設定をユーザに促す正規パスワード設定画面を表示するための表示データを前記表示手段に対して出力する処理を含むことを特徴とする請求項１に記載のパスワード保護機能付き情報処理装置。
【請求項３】
画面による情報の表示を行う表示手段を有する外部の情報処理装置に対して、データを送信する送信手段をさらに備え、
前記設定要求処理は、正規パスワードの設定をユーザに促す正規パスワード設定画面を表示するための表示データを、前記送信手段を介して前記外部の情報処理装置に対して送信する処理を含むことを特徴とする請求項１に記載のパスワード保護機能付き情報処理装置。
【請求項４】
ユーザによるパスワード入力操作を受け付けるとともに、そのパスワード入力操作に応じたパスワードデータを生成する入力手段と、
正規パスワードによって保護される処理について、その保護が設定されているか解除されているかを示す保護状態データを記憶する保護状態記憶手段と、
前記パスワードデータと、前記正規パスワードデータとが一致するか否かにより、ユーザの入力したパスワードが正規パスワードであるか否かを判別するとともに、ユーザの入力したパスワードが正規パスワードであると判別した場合に、前記保護状態記憶手段の保護状態データを保護解除状態にする保護状態変更手段とをさらに備えることを特徴とする請求項１に記載のパスワード保護機能付き情報処理装置。
【請求項５】
仮パスワードを示す仮パスワードデータを記憶するための仮パスワード記憶手段をさらに備え、
前記保護状態変更手段は、さらに、前記パスワードデータと、前記仮パスワードデータとが一致するか否かにより、ユーザの入力したパスワードが仮パスワードであるか否かを判別するとともに、ユーザの入力したパスワードが仮パスワードであると判別した場合に、前記保護状態記憶手段の保護状態データを限定的に保護解除状態にすることを特徴とする請求項４に記載のパスワード保護機能付き情報処理装置。
【請求項６】
前記正規パスワード記憶手段に正規パスワードデータが記憶されているか否かを判別するとともに、正規パスワードデータが記憶されていると判別した場合に、仮パスワードを無効化する仮パスワード無効化手段をさらに備えることを特徴とする請求項５に記載のパスワード保護機能付き情報処理装置。
【請求項７】
前記パスワード管理手段は、当該情報処理装置に電源が投入されることにより前記判別を行うことを特徴とする請求項１に記載のパスワード保護機能付き情報処理装置。
【請求項８】
前記パスワード管理手段は、ユーザが特定の操作を行った場合に前記判別を行うことを特徴とする請求項１に記載のパスワード保護機能付き情報処理装置。
【請求項９】
請求項１から８の何れか１項に記載のパスワード保護機能付き情報処理装置を備え、実行する処理の少なくとも一部が、前記パスワード保護機能付き情報処理装置によって保護されることを特徴とする画像処理装置。
【請求項１０】
請求項１から８の何れか１項に記載のパスワード保護機能付き情報処理装置をコンピュータにて実現させるパスワード保護機能付き情報処理プログラムであって、コンピュータを前記各手段として動作させるためのパスワード保護機能付き情報処理プログラム。
【請求項１１】
請求項１０に記載のパスワード保護機能付き情報処理プログラムを記録したコンピュータ読み取り可能な記録媒体。
【請求項１２】
ユーザの操作に応じて行う処理の少なくとも一部を、ユーザにより設定された正規パスワードによって保護するパスワード保護機能付き情報処理装置の制御方法において、
正規パスワードを示す正規パスワードデータが正規パスワード記憶手段に記憶されているか否かを、正規パスワード管理手段が判別するステップと、
正規パスワードデータが記憶されていないと前記正規パスワード管理手段が判別した場合に、正規パスワードの設定をユーザに促すための設定要求処理を正規パスワード設定要求手段が行うステップとを含むことを特徴とするパスワード保護機能付き情報処理装置の制御方法。
【発明の詳細な説明】
【技術分野】
【０００１】
本発明は、ユーザの操作に応じて行う処理の少なくとも一部を、ユーザにより設定された正規パスワードによって保護するパスワード保護機能付き情報処理装置、その制御方法、このパスワード保護機能付き情報処理装置を備えた画像処理装置、パスワード保護機能付き情報処理プログラム、及びこのプログラムを記録したコンピュータ読み取り可能な記録媒体に関するものである。
【背景技術】
【０００２】
従来、コピー機などの情報処理装置の中には、複数のユーザによって共用される情報処理装置が知られている。このような情報処理装置においては、ユーザの限定が可能であるものや、ユーザごとの使用量等の管理が可能であるものがある。これらの情報処理装置においては、当該情報処理装置の実際の使用に先駆けて、ユーザが、自身又は自身の属するグループ等に割り当てられたユーザパスワード等の情報を入力しなければならないように構成されたものも知られている。
【０００３】
また、近年の情報処理装置は、一般に、さまざまな動作条件を設定できるようになっており、それらの動作条件の中には、変更すると、通常の処理結果が得られなくなってしまう動作条件も含まれている。このため、特殊な動作条件の設定を行う場合には、管理者パスワード等の特定の情報を入力しなければならないように構成された情報処理装置も存在している。
【０００４】
特許文献１には、上記のような情報処理装置の一例が開示されている。特許文献１の情報処理装置（コピーシステム）では、パスワード入力待機状態において管理者パスワードが入力された後に、管理者モードボタンと環境設定ボタンとが押下された場合には、管理者のみが利用可能な環境設定受付状態に移行するようになっている。
【０００５】
一方、上記パスワード入力待機状態において、ユーザパスワードが入力された場合には、管理者モードボタンと環境設定ボタンとの押下により、管理者のみが利用可能な環境設定受付状態に移行しない状態での動作を開始し、かつ、所定のリセットイベントが発生した際には、パスワード入力待機状態に戻るようになっている。
【０００６】
これにより、上記コピーシステムでは、管理者が、管理者のみにその利用が許可されている特殊機能を簡単な操作で利用することができるようになる。
【０００７】
ここで、上記コピーシステムにおける、工場出荷時の状態からの動作について、図７に基づいて説明する。
【０００８】
工場出荷時の状態において、上記コピーシステムは、内蔵のハードディスクに、パスワードモードがユーザパスワード無効モードであることを示す情報を含む動作条件情報と、管理者パスワードのみが設定されているパスワード管理テーブルとが、記憶されている。そして、上記コピーシステムをユーザパスワード有効モードで動作させるためには、管理者パスワードを知っている管理者によって、少なくとも１つのユーザパスワードを設定する作業と、パスワードモードをユーザパスワード有効モードに変更するための作業が、行われなければならないようになっている。なお、管理者パスワードは、上記コピーシステムに添付されたマニュアル等に記してある。
【０００９】
これらの作業を行う際、管理者は、上記コピーシステムの電源を投入した後、操作ユニットの管理者モードボタンを押下する。この操作がなされた場合、電源投入時に行なわれるパスワードモードチェックにおいて、ユーザパスワード無効モードであると判断されるので、図７の下側に示した処理を行う。すなわち、上記コピーシステムは、基本操作画面が表示されている基本操作画面表示状態になる。そして、この状態で管理者モードボタンが押下された場合には、ステータス表示・環境設定処理が開始される。
【００１０】
ステータス表示・環境設定処理が開始されると、環境設定ボタンが有効なステータス表示画面が表示されているステータス表示状態となるので、管理者は、ステータス表示画面上の環境設定ボタンを押下する。この操作により、上記コピーシステムは、管理者パスワード入力画面が表示されている管理者パスワード入力待機状態となるので、管理者は、管理者パスワードの入力を行う。
【００１１】
管理者が入力した管理者パスワードが正しいものであった場合には、上記コピーシステムは、環境設定基本画面が表示される環境設定受付状態となるので、管理者は、表示される環境設定基本画面を操作することにより、幾つかのユーザパスワードを設定するための作業と、パスワードモードをパスワード有効モードに変更するための作業とを行った後、決定ボタンを押下する。
【００１２】
そして、管理者は、リセットボタンを３秒以上連続して押下しておくか、そのまま放置しておく。リセットボタンが３秒以上連続して押下された場合と、何も入力がなされずに所定時間以上が経過した場合（リセットイベントが発生した場合）とには、パスワードモードチェックが行なわれる。
【００１３】
この時点では、パスワードモードがユーザパスワード有効モードに変更されているので、上記コピーシステムは、図７の上側に示してあるように、パスワード入力画面が表示されているパスワード入力待機状態からの動作を開始することになる。
【特許文献１】特開２００３−９１５０７号公報（公開日２００３年３月２８日）
【発明の開示】
【発明が解決しようとする課題】
【００１４】
上記コピーシステムでは、新たな管理者パスワードの設定が可能であり、新たな管理者パスワードが設定された場合には、その新たな管理者パスワードによってパスワード管理テーブル内の既存の管理者パスワードを書き換える。
【００１５】
ところが、上記コピーシステムのような機器の実際の利用状況をみると、管理者パスワードの設定が変更されることなく、工場出荷時に設定されたそのままの管理者パスワード（デフォルトパスワード）が永続的に用いられているケースが多い。
【００１６】
ここで、デフォルトパスワードは、上述のように、上記コピーシステムに添付されたマニュアル等に記してある。したがって、デフォルトパスワードは、一般に、誰でも容易に知ることができる。
【００１７】
そのため、デフォルトパスワードが永続的に用いられている上記のような状況においては、誰でも、デフォルトパスワードを用いて、本来、管理者しか変更できないような環境設定を容易に変更できてしまう。
【００１８】
また、上記コピーシステムのような機器のみならず、一般に、ユーザがパスワードを設定することを前提としたパスワード保護機能付き情報処理装置においては、ユーザがパスワードを設定するのを忘れるなどして、本来、ユーザが設定すべきパスワードが未設定のまま使用されているような状況は多い。
【００１９】
本発明は、上記の課題に鑑みてなされたものであり、ユーザが設定すべきパスワードが未設定のままパスワード保護機能付き情報処理装置が使用されることを避けることができるようにすることを目的としている。
【課題を解決するための手段】
【００２０】
本発明のパスワード保護機能付き情報処理装置は、ユーザの操作に応じて行う処理の少なくとも一部を、ユーザにより設定された正規パスワードによって保護するパスワード保護機能付き情報処理装置であって、上記の課題を解決するために、正規パスワードを示す正規パスワードデータを記憶するための正規パスワード記憶手段と、正規パスワードの設定をユーザに促すための設定要求処理を行う正規パスワード設定要求手段と、前記正規パスワード記憶手段に正規パスワードデータが記憶されているか否かを判別するとともに、正規パスワードデータが記憶されていないと判別した場合に、前記正規パスワード設定要求手段に前記設定要求処理を実行させる正規パスワード管理手段とを備えることを特徴としている。
【００２１】
また、本発明のパスワード保護機能付き情報処理装置の制御方法方法は、ユーザの操作に応じて行う処理の少なくとも一部を、ユーザにより設定された正規パスワードによって保護するパスワード保護機能付き情報処理装置の制御方法であって、正規パスワードを示す正規パスワードデータが正規パスワード記憶手段に記憶されているか否かを、正規パスワード管理手段が判別するステップと、正規パスワードデータが記憶されていないと前記正規パスワード管理手段が判別した場合に、正規パスワードの設定をユーザに促すための設定要求処理を正規パスワード設定要求手段が行うステップとを含むことを特徴としている。
【００２２】
上記パスワード保護機能付き情報処理装置は、ユーザの操作に応じて行う処理の少なくとも一部をパスワードによって保護するものである。このようにパスワードによって保護される処理としては、例えば、当該情報処理装置あるいは当該情報処理装置を含む機器の環境設定を変更するような処理が考えられる。ただし、本発明の対象とする処理は、このような処理に限らず、パスワードが入力された場合にのみ実行を許可する必要のある処理に広く適用できる。
【００２３】
また、上記パスワード保護機能付き情報処理装置は、ユーザにより設定された正規パスワードによって保護を行う。これにより、正規パスワードを設定した者や、その者から正規パスワードを知らされた者等の特定の者のみが、保護を解除することができるようになる。
【００２４】
ここで、上記の構成及び方法では、正規パスワードデータを記憶するための正規パスワード記憶手段と、正規パスワードの設定をユーザに促すための設定要求処理を行う正規パスワード設定要求手段とを備えるとともに、正規パスワード記憶手段に正規パスワードデータが記憶されていないと判別した場合に、正規パスワード設定要求手段に設定要求処理を実行させる正規パスワード管理手段を備えている。
【００２５】
これにより、ユーザが正規パスワードを設定するのを忘れるなどして、正規パスワードが未設定のまま当該パスワード保護機能付き情報処理装置が使用されることを避けることができる。
【００２６】
なお、前記設定要求処理としては、上記パスワード保護機能付き情報処理装置に画面による情報の表示を行う表示手段をさらに備えておき、正規パスワードの設定をユーザに促す正規パスワード設定画面を表示するための表示データを前記表示手段に対して出力する処理を含むような処理とすることができる。
【００２７】
あるいは、前記設定要求処理としては、上記パスワード保護機能付き情報処理装置に、画面による情報の表示を行う表示手段を有する外部の情報処理装置に対してデータを送信する送信手段をさらに備えておき、正規パスワードの設定をユーザに促す正規パスワード設定画面を表示するための表示データを、前記送信手段を介して前記外部の情報処理装置に対して送信する処理を含むような処理とすることができる。
【００２８】
このような設定要求処理により、ユーザに対して正規パスワードの設定を促すことができる。
【００２９】
本発明のパスワード保護機能付き情報処理装置は、上記パスワード保護機能付き情報処理装置において、ユーザによるパスワード入力操作を受け付けるとともに、そのパスワード入力操作に応じたパスワードデータを生成する入力手段と、正規パスワードによって保護される処理について、その保護が設定されているか解除されているかを示す保護状態データを記憶する保護状態記憶手段と、前記パスワードデータと、前記正規パスワードデータとが一致するか否かにより、ユーザの入力したパスワードが正規パスワードであるか否かを判別するとともに、ユーザの入力したパスワードが正規パスワードであると判別した場合に、前記保護状態記憶手段の保護状態データを保護解除状態にする保護状態変更手段とをさらに備える構成としてもよい。
【００３０】
また、本発明のパスワード保護機能付き情報処理装置は、仮パスワードを示す仮パスワードデータを記憶するための仮パスワード記憶手段をさらに備え、前記保護状態変更手段は、さらに、前記パスワードデータと、前記仮パスワードデータとが一致するか否かにより、ユーザの入力したパスワードが仮パスワードであるか否かを判別するとともに、ユーザの入力したパスワードが仮パスワードであると判別した場合に、前記保護状態記憶手段の保護状態データを限定的に保護解除状態にする構成としてもよい。
【００３１】
上記の構成では、当該パスワード保護機能付き情報処理装置の工場出荷段階において、予め仮パスワード記憶手段に仮パスワードを設定しておくとともに、ユーザが当該パスワード保護機能付き情報処理装置の使用開始にあたってとりあえず実行する必要が生じる処理を、仮パスワードによって保護解除する、といったことが可能になる。
【００３２】
仮パスワードは、例えばマニュアル等に記載されていることが多く、このような状況において、仮パスワードが永続的に利用されると、パスワードにより保護している意義が低減し、セキュリティや装置管理等の観点から好ましくない。
【００３３】
これに対して上記の構成では、正規パスワード管理手段が正規パスワード記憶手段に正規パスワードデータが記憶されていないと判別した場合に、正規パスワードの設定をユーザに促す設定要求処理を行うため、正規パスワードが未設定のまま、仮パスワードが永続的に利用されることを回避することができ、セキュリティの向上や装置管理の適性化を図ることができる。
【００３４】
また、本発明のパスワード保護機能付き情報処理装置は、前記正規パスワード記憶手段に正規パスワードデータが記憶されているか否かを判別するとともに、正規パスワードデータが記憶されていると判別した場合に、仮パスワードを無効化する仮パスワード無効化手段をさらに備える構成としてもよい。
【００３５】
上記の構成では、正規パスワードが設定されることにより仮パスワードを無効化し、パスワードを正規パスワードに一本化することができる。
【００３６】
本発明のパスワード保護機能付き情報処理装置は、上記パスワード保護機能付き情報処理装置において、前記パスワード管理手段は、当該情報処理装置に電源が投入されることにより前記判別を行うようにしてもよく、ユーザが特定の操作を行った場合に前記判別を行うようにしてもよい。
【００３７】
本発明の画像処理装置は、上記パスワード保護機能付き情報処理装置を備え、実行する処理の少なくとも一部が、上記パスワード保護機能付き情報処理装置によって保護されることを特徴としている。
【００３８】
上記の構成では、上記パスワード保護機能付き情報処理装置の機能により、正規パスワードが未設定のまま当該画像処理装置が使用されることを避けることができる。
【００３９】
なお、上記パスワード保護機能付き情報処理装置は、コンピュータによって実現してもよく、この場合には、コンピュータを上記各手段として動作させることにより上記パスワード保護機能付き情報処理装置をコンピュータにて実現させるパスワード保護機能付き情報処理プログラム、及びそのパスワード保護機能付き情報処理プログラムを記録したコンピュータ読み取り可能な記録媒体も、本発明の範疇に入る。
【発明の効果】
【００４０】
本発明のパスワード保護機能付き情報処理装置は、正規パスワードを示す正規パスワードデータを記憶するための正規パスワード記憶手段と、正規パスワードの設定をユーザに促すための設定要求処理を行う正規パスワード設定要求手段と、正規パスワード記憶手段に正規パスワードデータが記憶されているか否かを判別するとともに、正規パスワードデータが記憶されていないと判別した場合に、正規パスワード設定要求手段に設定要求処理を実行させる正規パスワード管理手段とを備える構成である。
【００４１】
また、本発明のパスワード保護機能付き情報処理装置の制御方法方法は、正規パスワードを示す正規パスワードデータが正規パスワード記憶手段に記憶されているか否かを、正規パスワード管理手段が判別するステップと、正規パスワードデータが記憶されていないと正規パスワード管理手段が判別した場合に、正規パスワードの設定をユーザに促すための設定要求処理を正規パスワード設定要求手段が行うステップとを含む方法である。
【００４２】
上記の構成及び方法では、ユーザが正規パスワードを設定するのを忘れるなどして、正規パスワードが未設定のまま当該パスワード保護機能付き情報処理装置が使用されることを避けることができるという効果を奏する。
【００４３】
本発明のパスワード保護機能付き情報処理装置は、上記パスワード保護機能付き情報処理装置において、ユーザによるパスワード入力操作を受け付けるとともに、そのパスワード入力操作に応じたパスワードデータを生成する入力手段と、正規パスワードによって保護される処理について、その保護が設定されているか解除されているかを示す保護状態データを記憶する保護状態記憶手段と、パスワードデータと、正規パスワードデータとが一致するか否かにより、ユーザの入力したパスワードが正規パスワードであるか否かを判別するとともに、ユーザの入力したパスワードが正規パスワードであると判別した場合に、保護状態記憶手段の保護状態データを保護解除状態にする保護状態変更手段とをさらに備える構成としてもよい。
【００４４】
また、本発明のパスワード保護機能付き情報処理装置は、仮パスワードを示す仮パスワードデータを記憶するための仮パスワード記憶手段をさらに備え、保護状態変更手段は、さらに、パスワードデータと、仮パスワードデータとが一致するか否かにより、ユーザの入力したパスワードが仮パスワードであるか否かを判別するとともに、ユーザの入力したパスワードが仮パスワードであると判別した場合に、保護状態記憶手段の保護状態データを限定的に保護解除状態にする構成としてもよい。
【００４５】
上記の構成では、当該パスワード保護機能付き情報処理装置の工場出荷段階において、予め仮パスワード記憶手段に仮パスワードを設定しておくとともに、ユーザが当該パスワード保護機能付き情報処理装置の使用開始にあたってとりあえず実行する必要が生じる処理を、仮パスワードによって保護解除する、といったことが可能になる。
【００４６】
また、上記の構成では、正規パスワード管理手段が正規パスワード記憶手段に正規パスワードデータが記憶されていないと判別した場合に、正規パスワードの設定をユーザに促す設定要求処理を行うため、正規パスワードが未設定のまま、仮パスワードが永続的に利用されることを回避することができ、セキュリティの向上や装置管理の適性化を図ることができる。
【００４７】
また、本発明のパスワード保護機能付き情報処理装置は、正規パスワード記憶手段に正規パスワードデータが記憶されているか否かを判別するとともに、正規パスワードデータが記憶されていると判別した場合に、仮パスワードを無効化する仮パスワード無効化手段をさらに備える構成としてもよい。
【００４８】
上記の構成では、正規パスワードが設定されることにより仮パスワードを無効化し、パスワードを正規パスワードに一本化することができる。
【００４９】
本発明の画像処理装置は、上記パスワード保護機能付き情報処理装置を備え、実行する処理の少なくとも一部が、上記パスワード保護機能付き情報処理装置によって保護される構成である。
【００５０】
上記の構成では、上記パスワード保護機能付き情報処理装置の機能により、正規パスワードが未設定のまま当該画像処理装置が使用されることを避けることができる。
【発明を実施するための最良の形態】
【００５１】
本発明の実施の一形態について図１から図６に基づいて説明すれば、以下の通りである。
【００５２】
本発明に係るパスワード保護機能付き情報処理装置は、ユーザの操作に応じて行う処理の少なくとも一部をパスワードによって保護するものである。このようにパスワードによって保護される処理としては、例えば、当該情報処理装置あるいは当該情報処理装置を含む機器の環境設定を変更するような処理が考えられる。ただし、本発明の対象とする処理は、このような処理に限らず、パスワードが入力された場合にのみ実行を許可する必要のある処理に広く適用できる。
【００５３】
本実施形態では、上記パスワード保護機能付き情報処理装置を備え、コピー機能、プリンタ機能、ファックス機能、電子メール機能を有するとともに、通信ネットワークに接続されることによって複数のユーザや利用部門によって共用される複合機について説明する。
【００５４】
パスワード保護機能付き情報処理装置が扱うパスワードの種類としては、ユーザによって設定されるパスワードのみであってもよいが、複合機の工場出荷段階において予め設定されるパスワードが含まれていてもよい。ここでは、これら両方の種類のパスワードを扱うものとし、前者を「正規パスワード」、後者を「仮パスワード」と称することにする。
【００５５】
図１に、本実施形態の複合機（画像処理装置）１を含むドキュメントシステムのブロック構成を示す。このドキュメントシステムには、ＬＡＮなどの通信ネットワーク３を介して複合機１と通信可能であり、複合機１の各種設定等を行うためのパーソナルコンピュータ２が含まれる。
【００５６】
パーソナルコンピュータ（ホストＰＣ）２は、複合機１からみて外部の情報処理装置であり、ディスプレイなどの表示部２ａ、及びキーボードなどの入力部２ｂを備えている。パーソナルコンピュータ２は、通信ネットワーク３を介して複合機１とのデータ通信が可能である。
【００５７】
複合機１は、通信制御部（送信手段）１１と、中央制御装置１２と、設定記憶部１３と、記憶部１４と、操作表示部（表示手段、入力手段）１５と、スキャナ部１６と、プリント部１７とを備えている。ここで、上記パスワード保護機能付き情報処理装置は、通信制御部１１と、中央制御装置１２と、設定記憶部１３と、記憶部１４と、操作表示部１５とを含んで構成される。
【００５８】
なお、複合機１は、コピー機能、プリンタ機能、ファックス機能、電子メール機能などの機能を実現するための構成要素を備えているが、これらの構成要素は一般的なものであるため、ここではこれらの構成要素に含まれるスキャナ部１６及びプリント部１７のみを図示し、他の構成要素については図示及び説明を省略する。
【００５９】
中央制御装置１２は、複合機１の各種制御プログラムや、後述するパスワード保護機能付き情報処理装置を実現するためのパスワード保護機能付き情報処理プログラムを実行することにより、各種制御や情報処理を行うものである。この中央制御装置１２は、各種プログラムを実行するためのＣＰＵ（central processing unit）や、それらのプログラムが記憶されたＲＯＭ（read only memory）、プログラムを実行するためのワークエリアとして機能するＲＡＭ（random access memory）等を備えて構成されている。
【００６０】
中央制御装置１２は、通信制御部１１、操作表示部１５、スキャナ部１６、プリント部１７、設定記憶部１３、記憶部１４の制御をはじめとする複合機１全体の制御を行うとともに、設定記憶部１３及び記憶部１４へのデータの格納、設定記憶部１３及び記憶部１４からのデータの読み出し、読み出したデータのデータ処理などを行う。
【００６１】
中央制御装置１２は、パスワード保護機能付き情報処理プログラムの実行により、正規パスワード管理部（正規パスワード管理手段）１２ａ、正規パスワード設定要求部（正規パスワード設定要求手段）１２ｂ、正規パスワード設定部（正規パスワード設定手段）１２ｃ、動作制限部（動作制限手段）１２ｄ、保護状態変更部（保護状態変更手段）１２ｅ、仮パスワード無効化部（仮パスワード無効化手段）１２ｆ、環境設定変更部（環境設定変更手段）１２ｇの各機能ブロックとして機能する。このとき、中央制御装置１２は、通信制御部１１、設定記憶部１３、記憶部１４、操作表示部１５とともに、パスワード保護機能付き情報処理装置を構成する。
【００６２】
この場合、パスワード保護機能付き情報処理プログラムが、中央制御装置１２、通信制御部１１、設定記憶部１３、記憶部１４、操作表示部１５からなるコンピュータに読み込まれて実行されることにより、このコンピュータにおいて、上記の各機能ブロックが実現される。
【００６３】
パスワード保護機能付き情報処理プログラムは、そのプログラムを記録した記録媒体から上記コンピュータに供給されてもよく、通信ネットワーク３を介してコンピュータに供給されてもよい。
【００６４】
パスワード保護機能付き情報処理プログラムを記録する記録媒体は、上記コンピュータと分離可能に構成してもよく、上記コンピュータに組み込むようになっていてもよい。この記録媒体は、記録したプログラムコードをコンピュータが直接読み取ることができるようにコンピュータに装着されるものであっても、外部記憶装置としてコンピュータに接続されたプログラム読み取り装置を介して読み取ることができるように装着されるものであってもよい。
【００６５】
上記記録媒体としては、例えば、磁気テープやカセットテープ等のテープ系、フレキシブルディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ（Erasable Programmable Read Only Memory）／ＥＥＰＲＯＭ（Electrically Erasable Programmable Read Only Memory）／フラッシュＲＯＭ等の半導体メモリ系などを用いることができる。
【００６６】
なお、複合機１を通信ネットワークと接続可能に構成し、上記プログラムコードを通信ネットワークを介して供給してもよい。この通信ネットワークとしては、特に限定されず、適宜選択可能である。また、この通信ネットワークを構成する伝送媒体としては、特に限定されず、適宜選択可能である。さらに、本発明は、上記プログラムコードが電子的な伝送で具現化された搬送波あるいはデータ信号列の形態でも実現され得る。
【００６７】
中央制御装置１２における上記の各機能ブロックに関する詳細は、後述する。
【００６８】
通信制御部１１は、通信ネットワーク３を介してして、外部の情報処理装置としてのパーソナルコンピュータ２とのデータ通信を行う。具体的には、通信制御部１１は、ＴＣＰ／ＩＰ（transmission control protocol/internet protocol）のプロトコル制御を行うことにより、パーソナルコンピュータ２とのデータの送受信を行う。なお、ここでは、通信制御部１１として、ＴＣＰ／ＩＰによるデータ通信を行うものを想定しているが、これに限らず、通信制御部１１は、セントロニクス・インタフェースやＵＳＢインタフェースを介したデータ通信を行うものであってもよい。
【００６９】
設定記憶部（正規パスワード記憶手段、保護状態記憶手段、仮パスワード記憶手段）１３は、例えば、フラッシュＲＯＭやＥＥＰＲＯＭ（electrically erasable and programmable ROM）、ハードディスク等で構成され、複合機１の各種設定が記憶されている。この各種設定としては、例えば、複合機１に与えられたＩＰアドレスやネットワークに関する設定、ファクシミリ機能や電子メール機能によってファクシミリ送信や電子メール送信を行う際に用いる送信先のアドレス等の環境設定を示す環境設定データ１３ａが含まれる。また、設定記憶部１３には、正規パスワードデータ１３ｂ、仮パスワードデータ１３ｃ、保護状態データ１３ｄなども記憶されるが、これらに関する詳細は、後述する。
【００７０】
操作表示部１５は、例えば、液晶ディスプレイと操作キーとによって構成されているものや、タッチパネル一体型の液晶ディスプレイからなるものがある。この操作表示部１５は、表示機能と入力受付機能とを有するものである。表示機能は、ユーザに対して、複合機１の操作情報やエラー情報などの各種情報を伝達するための画面表示を行う機能である。入力受付機能は、ユーザからの各種入力操作を受け付け、その入力操作に応じた入力信号を生成して中央制御装置１２に送る機能である。この入力受付機能には、ユーザによるパスワード入力操作を受け付ける機能も含まれ、パスワード入力操作を受け付けた際には、その入力操作に基づいたパスワードデータを生成する。
【００７１】
スキャナ部１６は、図示しない原稿台やＣＣＤ（charge coupled device）などを備えて構成されており、原稿台にセットされた原稿をＣＣＤによって読み取り、画像データを生成して中央制御装置１２に送る。この画像データは、図示しない画像処理装置によって画像処理が施されるなどした後、プリント部１７等に送られ、プリント部１７において用紙に印刷出力される。
【００７２】
プリント部１７は、送られてくる画像データに基づく画像を用紙に印刷出力するためのエンジンであり、レーザビーム方式やインクジェット方式などの印刷方式による印刷を実行する。
【００７３】
記憶部１４は、例えばハードディスクからなり、スキャナ部１６によって読み取った画像データや、外部から受信した画像データを記憶するためのものである。また、記憶部１４は中央制御装置１２とともに、Ｗｅｂサーバとして機能する。このＷｅｂサーバは、通信ネットワーク３上でＷｅｂページを構築する。そして、パーソナルコンピュータ２上で起動されるブラウザが、上記Ｗｅｂページに対してアクセスすることにより、リモートで複合機１の操作や設定が可能となっている。
【００７４】
次に、設定記憶部１３の各データ、及び中央制御装置１２において実現される各機能ブロックについて説明する。
【００７５】
環境設定データ１３ａは、上述したように、複合機１の環境設定等を示すデータである。
【００７６】
正規パスワードデータ１３ｂは、正規パスワードを示すデータである。この正規パスワードは、複合機１のユーザが設定するものである。また、この正規パスワードは、パスワードによって保護されている複合機１の処理を全て解除するためのものであり、複合機１のユーザのうち、複合機１の管理者となるユーザのみが用いるためのパスワード（管理者パスワード）である。したがって、正規パスワードデータ１３ｂは、複合機１の工場出荷段階では設定されておらず、ユーザが複合機１の利用を開始する際に、管理者となるユーザによって設定されることが想定されている。
【００７７】
仮パスワードデータ１３ｃは、仮パスワードを示すデータである。この仮パスワードは、複合機１の工場出荷段階において設定されるものであり、複合機１のマニュアルに記載されるなどしてユーザに通知される。この仮パスワードは、ユーザが複合機１の利用を開始する際に最低限必要となる初期設定等の処理の保護のみを解除するためのものである。
【００７８】
保護状態データ１３ｄは、パスワードによる保護が可能な複合機１における各処理の保護状態、つまり、各処理について保護が設定された状態にあるか、保護が解除された状態にあるかを示すデータである。各処理について保護が設定された状態とは、ユーザがその処理を実行するための操作を行ったとしても、その処理を実行しない状態を意味し、保護が解除された状態とは、ユーザの操作に基づいてその処理を実行する状態を意味する。
【００７９】
なお、環境設定データ１３ａ、正規パスワードデータ１３ｂ、仮パスワードデータ１３ｃ、保護状態データ１３ｄは、設定記憶部１３において、それぞれに対応して予め定められたアドレスに記憶されている。したがって、中央制御装置１２によって上記各データを書き込み又は読み出しするためには、各データに対応する所定のアドレスにアクセスすればよい。
【００８０】
正規パスワード管理部１２ａは、設定記憶部１３に正規パスワードデータ１３ｂが記憶されているか否かを判別するとともに、正規パスワードデータが記憶されていないと判別した場合に、正規パスワード設定要求部１２ｂや動作制限部１２ｄに対して設定要求処理の実行を指示する設定要求処理実行信号を出力する。
【００８１】
上記の判別は、正規パスワード管理部１２ａが、正規パスワードデータ１３ｂに対応するアドレスにアクセスし、そのアドレスに正規パスワードデータ１３ｂとして有効なデータが格納されているか否かを判別することにより行う。
【００８２】
また、上記の判別を正規パスワード管理部１２ａが行うタイミングとしては、例えば、複合機１に電源が投入された時点や、ユーザが複合機１に対して所定の操作を行った時点などが考えられる。
【００８３】
正規パスワード設定要求部１２ｂは、上記正規パスワード管理部１２ａからの設定要求処理実行信号に基づき、正規パスワードの設定をユーザに促すための設定要求処理を行う。
【００８４】
設定要求処理は、例えば、正規パスワードの設定をユーザに促すための正規パスワード設定画面（図３参照）を操作表示部１５に表示させるために、正規パスワード設定画面の表示データを操作表示部１５に対して出力する処理である。この場合の表示データは、操作表示部１５において表示することのできるデータである。
【００８５】
あるいは、設定要求処理は、例えば、正規パスワードの設定をユーザに促すための正規パスワード設定画面をパーソナルコンピュータ２の表示部２ａに表示させるために、正規パスワード設定画面の表示データを、通信制御部１１を介してパーソナルコンピュータ２に対して送信する処理である。この場合の表示データは、ＨＴＭＬ（hypertext markup language）データなどである。なお、上記表示データをパーソナルコンピュータ２に対して送信する処理は、パーソナルコンピュータ２においてブラウザが起動され、そのブラウザが複合機１の構築するＷｅｂページを表示している場合に実行される。
【００８６】
なお、正規パスワード設定画面の表示データは、例えば記憶部１４に予め記憶されている。また、正規パスワード設定画面の表示は、操作表示部１５又はパーソナルコンピュータ２の表示部２ａの一方に対して行えるようになっておればよく、両方に対して行えるようになっていなくてもよい。
【００８７】
また、設定要求処理には、中央制御装置１２の実行可能な処理を制限する処理が含まれていてもよい。この処理は、後述する動作制限部１２ｄにおいて行われる。
【００８８】
また、設定要求処理は、正規パスワード設定画面を操作表示部１５に表示させる前に、正規パスワードが設定されていない旨のメッセージを表示するとともに、正規パスワードの設定を行うか、正規パスワードの設定を行わずに操作を続行するか、などをユーザに選択させる選択画面（図６参照）を操作表示部１５に表示させ、ユーザが正規パスワードの設定を選択した場合に正規パスワード設定画面を操作表示部１５に表示させてもよい。
【００８９】
上記表示データが送られてきた操作表示部１５では、表示データに基づいて正規パスワード設定画面を表示するとともに、ユーザによるパスワード入力操作を受け付ける状態になる。そして、ユーザが操作表示部１５に対してパスワード入力操作を行うと、操作表示部１５では、ユーザの入力操作に基づいたパスワードデータを生成し、正規パスワード設定部１２ｃに対して出力する。
【００９０】
また、上記表示データが送られてきたパーソナルコンピュータ２では、ブラウザにより、表示データに基づいて正規パスワード設定画面を表示するとともに、ユーザによるパスワード入力操作を受け付ける状態になる。そして、ユーザがパーソナルコンピュータ２の入力部２ｂに対してパスワード入力操作を行うと、パーソナルコンピュータ２では、ユーザの入力操作に基づいたパスワードデータを生成し、複合機１に対して出力する。
【００９１】
操作表示部１５やパーソナルコンピュータ２から上記パスワードデータが送られてくると、正規パスワード設定部１２ｃが、そのパスワードデータに基づき、正規パスワードとして適正なものが入力されたか否かを判別する。例えば正規パスワードが５桁の文字によって構成されるものと定められている場合には、５桁分の文字が入力されていない場合や、入力された文字列の構成が単純なもの（例えば、全ての文字が同一「１１１１１」、昇順「１２３４５」又は降順「５４３２１」等）である場合には、その文字列は正規パスワードとして適正ではないと判別し、その他の場合には適正であると判別する。
【００９２】
正規パスワード設定部１２ｃは、正規パスワードとして適正なものが入力されたと判別した場合には、そのパスワードデータを、正規パスワードデータ１３ｂとして、設定記憶部１３の所定のアドレスに書き込む。
【００９３】
仮パスワード無効化部１２ｆは、設定記憶部１３に正規パスワードデータが記憶されているか否かを判別するとともに、正規パスワードデータが記憶されていると判別した場合に、仮パスワードを無効化する。設定記憶部１３に正規パスワードデータ１３ｂが記憶されているか否かの判断は、正規パスワード管理部１２ａと同様、正規パスワードデータ１３ｂに対応するアドレスにアクセスし、そのアドレスに正規パスワードデータ１３ｂとして有効なデータが格納されているか否かにより行う。また、仮パスワードの無効化は、例えば、仮パスワードデータの削除や無効なデータへの変換（上書き）により行う。このように、正規パスワードが設定されることにより仮パスワードを無効化することにより、パスワードを正規パスワードに一本化することができる。
【００９４】
保護状態変更部１２ｅは、操作表示部１５から送られてくるパスワードデータと、設定記憶部１３に記憶されている正規パスワードデータ１３ｂ又は仮パスワードデータ１３ｃとが一致するか否かにより、ユーザの入力したパスワードが正規パスワード又は仮パスワードであるか否かを判別するとともに、ユーザの入力したパスワードが正規パスワード又は仮パスワードであると判別した場合に、設定記憶部１３の保護状態データ１３ｄを保護解除にする。なお、保護状態変更部１２ｅは、ユーザの入力したパスワードが仮パスワードであると判別した場合には、保護状態データ１３ｄを限定的に保護解除にする。なお、限定の内容については後述する。
【００９５】
動作制限部１２ｄは、中央制御装置１２や複合機１の各部において行う処理を制限する。この制限は、保護状態データ１３ｄに基づいて行う。つまり、保護状態データ１３ｄにおいて保護が設定された状態にある処理については、ユーザがその処理を実行するための操作を行ったとしても、その処理の実行を禁止する。一方、保護状態データ１３ｄにおいて保護が解除された状態にある処理については、その処理の実行を許可する。
【００９６】
例えば、制限を受ける処理が、複合機１の環境設定を変更する処理である場合には、環境設定データ１３ａの内容を書き換える環境設定変更部１２ｇに対して、その書換え処理の禁止を指示する信号を送ることにより、その書換え処理を禁止する。
【００９７】
また、動作制限部１２ｄは、正規パスワード管理部１２ａから設定要求処理実行信号が送られてきた場合に、設定要求処理の一環として上記のような制限を行ってもよい。これにより、より確実にユーザに対して正規パスワードの設定を促すことができる。
【００９８】
次に、図２及び図３に基づいて、正規パスワードが設定されるまでの処理フローの一例について説明する。なお、ここでは、操作表示部１５によって正規パスワードの設定を行うことを想定する。
【００９９】
複合機１の電源が投入され（Ｓ１００）、ユーザが操作表示部１５を操作することにより、キーオペレータ設定モードを選択したとする（Ｓ１０１）。ここで、キーオペレータとは、複合機１の管理者を意味し、キーオペレータ設定モードとは、正規パスワードによって保護が解除されることにより実行可能となる設定モードのことである。
【０１００】
このキーオペレータ設定モードにおける処理としては、例えば、次のような環境設定の変更処理が考えられる。すなわち、ユーザや利用部門ごとに定められ、コピー枚数などを制限するために使用される管理番号の登録／変更／削除、管理番号の登録されていないユーザや利用部門からの利用制限の有効化／無効化、ユーザや利用部門ごとの利用集計枚数の消去、電子メール送信先アドレスの登録／変更／閲覧／削除、複合機の操作表示部の表示言語設定の変更、正規パスワードの変更などの処理が考えられる。これらの処理は、環境設定変更部１２ｇが環境設定データ１３ａを書き換えることによって行われる。
【０１０１】
なお、このようなキーオペレータ設定モードを実行するユーザが、複合機１の管理者であるとみなすことができる。したがって、以下では、上記のユーザを管理者と称する。
【０１０２】
管理者がキーオペレータ設定モードを選択すると、正規パスワード管理部１２ａが、設定記憶部１３に正規パスワードデータ１３ｂが記憶されているか否かの判別（正規パスワード登録判定）を行う（Ｓ１０２）。このとき、正規パスワードデータ１３ｂが記憶されていると判別されると、操作表示部１５が、キーオペレータ設定画面を表示するとともに、管理者による上記環境設定の変更操作を受け付ける状態となる。これにより、キーオペレータ設定モードとなる（Ｓ１０７）。
【０１０３】
一方、ステップＳ１０２において、正規パスワードデータ１３ｂが記憶されていないと判別されると、正規パスワード管理部１２ａは正規パスワード設定要求部１２ｂに対して設定要求処理実行信号を出力する。そして、正規パスワード設定要求部１２ｂが、正規パスワード設定画面の表示データを操作表示部１５に出力し、操作表示部１５が図３に示すような正規パスワード設定画面を表示するとともに、管理者によるパスワード入力操作を受け付ける状態になる（Ｓ１０３）。
【０１０４】
管理者は、正規パスワード設定画面を見て、正規パスワードの設定が必要であることを知る。そこで、管理者は、正規パスワードとなる所定桁数（例えば５桁）の文字列を決め、これを操作表示部１５を操作して入力する（Ｓ１０４）。この入力操作を受けた操作表示部１５は、入力された文字列に対応するパスワードデータを生成し、正規パスワード設定部１２ｃに送る。
【０１０５】
正規パスワード設定部１２ｃは、操作表示部１５から送られてきたパスワードデータに基づき、管理者の選んだ文字列が正規パスワードとして適正なものであるか否かを判別する（Ｓ１０５）。そして、適正ではない場合には、ステップＳ１０３からの処理を繰り返す。
【０１０６】
管理者の選んだ文字列が正規パスワードとして適正なものであると判別した場合には、正規パスワード設定部１２ｃは、操作表示部１５から送られてきたパスワードデータを、正規パスワードデータ１３ｂとして設定記憶部１３に保存する（Ｓ１０６）。そして、上記ステップＳ１０７のキーオペレータ設定モードとなる。
【０１０７】
なお、ここでは、管理者がキーオペレータ設定モードを選択することにより、正規パスワード登録判定を行っているが、これに限らず、複合機１の電源が投入されることにより、正規パスワード登録判定を行うようにしてもよい。この場合には、正規パスワードを登録するまでは複合機１を使用することができなくなる。これにより、複合機１の利用開始にともなって確実に正規パスワードが登録されることになり、複合機１の利用開始時点から正規パスワードによる適正な管理が可能になる。
【０１０８】
次に、図４に基づいて、正規パスワードが設定されるまでの処理フローの他の例について説明する。なお、ここでは、パーソナルコンピュータ２によって正規パスワードの設定を行うことを想定する。
【０１０９】
この処理フローでは、複合機１の電源が投入され（Ｓ２００）、まず、複合機をネットワーク接続するためにＩＰアドレス等のネットワーク設定を行う（Ｓ２１０）。これらの設定は、操作部から入力してもよいし、ＭＡＣアドレスを用いてパーソナルコンピュータから設定してもよい。なお、この処理フローでは、パーソナルコンピュータ２においてブラウザを起動しており、そのブラウザが複合機１の構築するＷｅｂページを表示しているものとする。
【０１１０】
ＩＰアドレスが設定されると、正規パスワード管理部１２ａが、設定記憶部１３に正規パスワードデータ１３ｂが記憶されているか否かの判別（正規パスワード登録判定）を行う（Ｓ２０２）。このとき、正規パスワードデータ１３ｂが記憶されていると判別されると、通常動作モードとなる（Ｓ２０７）。
【０１１１】
一方、ステップＳ２０２において、正規パスワードデータ１３ｂが記憶されていないと判別されると、正規パスワード管理部１２ａは正規パスワード設定要求部１２ｂに対して設定要求処理実行信号を出力する。そして、正規パスワード設定要求部１２ｂが、正規パスワード設定画面の表示データを、通信制御部１１を介してパーソナルコンピュータ２に対して出力する。これにより、パーソナルコンピュータ２の表示部２ａが図３に示すような正規パスワード設定画面を表示するとともに、パーソナルコンピュータ２の入力部２ｂが管理者によるパスワード入力操作を受け付ける状態になる（Ｓ２０３）。
【０１１２】
管理者は、正規パスワード設定画面を見て、正規パスワードの設定が必要であることを知る。そこで、管理者は、正規パスワードとなる所定桁数（例えば５桁）の文字列を決め、これをパーソナルコンピュータ２の入力部２ｂを操作して入力する（Ｓ１０４）。この入力操作を受けたパーソナルコンピュータ２は、入力された文字列に対応するパスワードデータを生成し、複合機１に送る。
【０１１３】
正規パスワード設定部１２ｃは、パーソナルコンピュータ２から送られてきたパスワードデータに基づき、管理者の選んだ文字列が正規パスワードとして適正なものであるか否かを判別する（Ｓ２０５）。そして、適正ではない場合には、ステップＳ２０３からの処理を繰り返す。
【０１１４】
管理者の選んだ文字列が正規パスワードとして適正なものであると判別した場合には、正規パスワード設定部１２ｃは、パーソナルコンピュータ２から送られてきたパスワードデータを、正規パスワードデータ１３ｂとして設定記憶部１３に保存する（Ｓ２０６）。そして、上記ステップＳ２０７の通常動作モードとなる。
【０１１５】
なお、この処理フローでは、パーソナルコンピュータ２から複合機１に対してリモート接続を行うことにより正規パスワードの設定を行っているので、少なくとも、ＩＰアドレスの設定等は正規パスワードを設定することなく実行可能となっている。正規パスワードの設定後は、ＩＰアドレス等も正規パスワードの入力を行わないと設定できないようにしてもよい。
【０１１６】
また、この処理フローでは、管理者が複合機１の構築するＷｅｂページにアクセスする方法は、例えば次の通りである。
【０１１７】
複合機１を購入等した際に、管理者がディーラー（販売会社）に対して管理者登録を行うと、ディーラーは管理者に対してリモートキーオペレータのアドレスを提供する。この操作は、Ｅ−ｍａｉｌなどを利用して行う。リモートキーオペレータのアドレスは、例えば、管理者が複合機１に登録したアドレスが「192.168.10.1」だとすると「http://192.168.10.1/Keyoperate.html」といったものである。
【０１１８】
そして、管理者は、パーソナルコンピュータ２上で起動しているブラウザに対して、ディーラーから提供されたアドレスを入力する。これにより、ブラウザが上記アドレスにアクセスし、パーソナルコンピュータ２の表示部２ａには、Ｗｅｂページとしてキーオペレータ設定画面が表示されることになる。
【０１１９】
このとき、正規パスワードが登録されていない場合は、上記ステップＳ２０３のように、正規パスワード設定画面が最初に表示されることになり、管理者は、正規パスワードを設定しないと、キーオペレータの各種設定を行うことができない。
【０１２０】
これにより、リモートキーオペレータのアドレスを管理者のみが知ることができ、また、正規パスワードの登録を管理者に促すことにより、管理者により正しく正規パスワードを設定できるようになるので、正しく複合機１を管理することができる。
【０１２１】
次に、図５及び図６に基づいて、正規パスワードが設定されるまでの処理フローのさらに他の例について説明する。なお、ここでは、操作表示部１５によって正規パスワードの設定を行うことを想定し、操作表示部１５の表示画面の推移を図６に示す。
【０１２２】
複合機１の電源が投入されると（Ｓ３００）、まず、正規パスワード管理部１２ａが、設定記憶部１３に正規パスワードデータ１３ｂが記憶されているか否かの判別（正規パスワード登録判定）を行う（Ｓ３０１）。このとき、正規パスワードデータ１３ｂが記憶されていると判別されると、通常動作モードとなる（Ｓ３１２）。
【０１２３】
一方、ステップＳ３０１において、正規パスワードデータ１３ｂが記憶されていないと判別されると、正規パスワード管理部１２ａは正規パスワード設定要求部１２ｂに対して設定要求処理実行信号を出力する。そして、正規パスワード設定要求部１２ｂが、まず、選択画面の表示データを操作表示部１５に出力する。そうすると、操作表示部１５は、正規パスワードが登録されていない旨のメッセージと、「正規パスワード設定」ボタン、「続行」ボタン、「キャンセル」ボタンとを表示するとともに、上記各ボタンの押下による選択操作を受け付ける状態になる（Ｓ３０２）。
【０１２４】
「正規パスワード設定」ボタンが押下されると、正規パスワード設定要求部１２ｂは、正規パスワード設定画面の表示データを操作表示部１５に出力し、操作表示部１５が正規パスワード設定画面を表示するとともに、管理者によるパスワード入力操作を受け付ける状態になる（Ｓ３０４）。
【０１２５】
管理者は、正規パスワード設定画面を見て、正規パスワードの設定が必要であることを知る。そこで、図２のステップＳ１０４〜Ｓ１０６と同様にして、パスワードの入力・適正判断・保存の処理を行う（Ｓ３０５）。
【０１２６】
そして、操作表示部１５がキーオペレータ設定画面Ａを表示し、第１のキーオペレータ設定モードとなる。この第１のキーオペレータ設定モードは、全ての保護が解除されており、設定画面に表示された全ての設定を行うことができるモードである。
【０１２７】
そして、第１のキーオペレータ設定モードにおける管理者の設定操作が終了すると、複合機１の再起動又は通常動作モードへの移行を行う（Ｓ３０７）。
【０１２８】
ステップＳ３０３において「続行」ボタンが押下されると、操作表示部１５が仮パスワード入力画面を表示するとともに、管理者によるパスワード入力操作を受け付ける状態になる（Ｓ３０８）。
【０１２９】
管理者は、仮パスワード入力画面を見て、仮パスワードの入力が必要であることを知る。そこで、管理者は、マニュアル等に記載された仮パスワードを操作表示部１５を操作して入力する。この入力操作を受けた操作表示部１５は、入力された文字列に対応するパスワードデータを生成し、保護状態変更部１２ｅに送る。保護状態変更部１２ｅは、操作表示部１５から送られてくるパスワードデータと、設定記憶部１３に記憶されている仮パスワードデータ１３ｃとが一致するか否かにより、管理者の入力したパスワードが仮パスワードであるか否かを判別し、管理者の入力したパスワードが仮パスワードであると判別すると、設定記憶部１３の保護状態データ１３ｄを保護解除にする。ここでは、保護状態変更部１２ｅは、管理者の入力したパスワードが仮パスワードであるので、保護状態データ１３ｄを限定的に保護解除にする（Ｓ３０９）。これにより、動作制限部１２ｄは、環境設定変更部１２ｇの処理のうち、一部の処理（例えば、ネットワーク設定や表示言語設定）については実行を許可し、他の処理（例えば、部門番号設定やパスワード変更、メールアドレス設定）については実行を禁止する。
【０１３０】
そして、操作表示部１５がキーオペレータ設定画面Ｂを表示し、第２のキーオペレータ設定モードとなる。この第２のキーオペレータ設定モードは、動作制限部１２ｄが実行を許可した上記一部の処理に対応するボタンが選択可能となり、動作制限部１２ｄが実行を禁止した上記他の処理に対応するボタンは選択不能となっているモードである。
【０１３１】
このように正規パスワードを登録していない状態では、メールアドレス設定によるアドレス帳の登録などの操作が行えないので、アドレス帳を用いたファックス機能やScan to Email機能を使うことができなくなる。これは、仮パスワードでアドレス帳を登録し、その後、仮パスワードでアドレス帳の内容が改竄されたりするのを防止するためである。
【０１３２】
そして、第２のキーオペレータ設定モードにおける管理者の設定操作が終了すると、複合機１の再起動又は通常動作モードへの移行を行う（Ｓ３０７）。
【０１３３】
なお、ステップＳ３０３において「キャンセル」ボタンが押下されると、動作制限モードに移行し、複合機１の基本機能（例えば、コピー機能、プリンタ機能）のみの使用が可能な制限状態で複合機１を動作させるようにする。（Ｓ３１１）。
【０１３４】
以上のように、通信制御部１１と、中央制御装置１２と、設定記憶部１３と、記憶部１４と、操作表示部１５とを含んで構成され、複合機１に含まれているパスワード保護機能付き情報処理装置は、ユーザの操作に応じて行う処理の少なくとも一部を、ユーザにより設定された正規パスワードによって保護する装置である。このパスワード保護機能付き情報処理装置は、正規パスワードを示す正規パスワードデータ１３ｂを記憶するための設定記憶部１３と、正規パスワードの設定をユーザに促すための設定要求処理を行う正規パスワード設定要求部１２ｂと、設定記憶部１３に正規パスワードデータ１３ｂが記憶されているか否かを判別するとともに、正規パスワードデータ１３ｂが記憶されていないと判別した場合に、正規パスワード設定要求部１２ｂに設定要求処理を実行させる正規パスワード管理部１２ａとを備えている。
【０１３５】
この構成では、ユーザが正規パスワードを設定するのを忘れるなどして、正規パスワードが未設定のまま複合機１が使用されることを避けることができる。
【０１３６】
また、上記パスワード保護機能付き情報処理装置は、正規パスワードによって保護される処理について、その保護が設定されているか解除されているかを示す保護状態データ１３ｄを記憶するように設定記憶部１３が構成されており、ユーザによるパスワード入力操作を受け付けるとともに、そのパスワード入力操作に応じたパスワードデータを生成する操作表示部１５と、上記パスワードデータと、設定記憶部１３に記憶された正規パスワードデータとが一致するか否かにより、ユーザの入力したパスワードが正規パスワードであるか否かを判別するとともに、ユーザの入力したパスワードが正規パスワードであると判別した場合に、設定記憶部１３の保護状態データ１３ｄを保護解除にする保護状態変更部１２ｅとを備えている。
【０１３７】
そして、上記パスワード保護機能付き情報処理装置は、仮パスワードを示す仮パスワードデータ１３ｃを記憶するように設定記憶部１３が構成されており、保護状態変更部１２ｅは、さらに、上記パスワードデータと、設定記憶部１３に記憶された仮パスワードデータとが一致するか否かにより、ユーザの入力したパスワードが仮パスワードであるか否かを判別するとともに、ユーザの入力したパスワードが仮パスワードであると判別した場合に、設定記憶部１３の保護状態データ１３ｄを限定的に保護解除状態にする構成としてもよい。
【０１３８】
この構成では、複合機１の工場出荷段階において、設定記憶部１３に仮パスワードを設定しておくとともに、ユーザが複合機１の使用開始にあたってとりあえず実行する必要が生じる処理を、仮パスワードによって保護解除する、といったことが可能になる。
【０１３９】
仮パスワードは、例えばマニュアル等に記載されていることが多く、このような状況において、仮パスワードが永続的に利用されると、パスワードにより保護している意義が低減し、セキュリティや装置管理等の観点から好ましくない。
【０１４０】
これに対して上記の構成では、正規パスワードデータ１３ｂが記憶されていないと正規パスワード管理部１２ａが判別した場合に、正規パスワードの設定をユーザに促す設定要求処理を行うため、正規パスワードが未設定のまま、仮パスワードが永続的に利用されることを回避することができ、セキュリティの向上や装置管理の適性化を図ることができる。
【０１４１】
なお、本実施形態では、仮パスワードデータと正規パスワードデータとを別々に記憶するようにしたが、仮パスワードデータに正規パスワードデータを上書きするようにすることも考えられる。
【産業上の利用可能性】
【０１４２】
本発明は、ユーザの操作に応じて行う処理の少なくとも一部を、ユーザにより設定された正規パスワードによって保護するパスワード保護機能付き情報処理装置、その制御方法、このパスワード保護機能付き情報処理装置を備えた画像処理装置、パスワード保護機能付き情報処理プログラム、及びこのプログラムを記録したコンピュータ読み取り可能な記録媒体として利用可能である。
【図面の簡単な説明】
【０１４３】
【図１】本発明の実施の一形態に係る複合機を含んだドキュメントシステムの構成を示すブロック図である。
【図２】図１のドキュメントシステムにおいて、正規パスワードを設定するための処理フローの一例を示すフローチャートである。
【図３】図１の複合機において表示される正規パスワード設定画面の例を示す図面である。
【図４】図１のドキュメントシステムにおいて、正規パスワードを設定するための処理フローの他の例を示すフローチャートである。
【図５】図１のドキュメントシステムにおいて、正規パスワードを設定するための処理フローのさらに他の例を示すフローチャートである。
【図６】図５の処理フローにともなって、図１の複合機において表示される表示画面の推移を示す図面である。
【図７】従来のコピーシステムの状態遷移図である。
【符号の説明】
【０１４４】
１      複合機
２      パーソナルコンピュータ（外部の情報処理装置）
２ａ    表示部（表示手段）
２ｂ    入力部（入力手段）
３      通信ネットワーク
１１      通信制御部（送信手段）
１２      中央制御装置
１２ａ    正規パスワード管理部（正規パスワード管理手段）
１２ｂ    正規パスワード設定要求部（正規パスワード設定要求手段）
１２ｃ    正規パスワード設定部
１２ｄ    動作制限部
１２ｅ    保護状態変更部（保護状態変更手段）
１２ｆ    仮パスワード無効化部（仮パスワード無効化部手段）
１２ｇ    環境設定変更部
１３      設定記憶部（正規パスワード記憶手段、保護状態記憶手段、仮パスワード記憶手段）
１４      記憶部
１５      操作表示部（表示手段、入力手段）
【図１】
2005094374.tif 000003
【図２】
2005094374.tif 000004
【図３】
2005094374.tif 000005
【図４】
2005094374.tif 000006
【図５】
2005094374.tif 000007
【図６】
2005094374.tif 000008
【図７】
2005094374.tif 000009